(57)【要約】【課題】媒体カセットのシャッタのロック機構を簡素なものとして媒体カセットの軽量化を図る手段を提供する。【解決手段】媒体を収納する収納部と、収納部に収納されている媒体を１枚ずつに分離するハードゲートを備えた媒体カセットに、ハードゲートに分離ギャップを介して対向するフィードローラと、フィードローラの外側を覆うローラカバー部と分離ギャップの繰出方向の下流を覆うシャッタ部とを有する保護カバーと、フィードローラを回転させると共に保護カバーを回動可能に支持するフィードローラ軸とを設け、媒体カセットの取外時に保護カバーの回動を防ぐストッパを押え部の段部に噛合わせてロック機構を形成する。【選択図】        図１
2006082946.tif 000002
【特許請求の範囲】
【請求項１】
媒体を収納する収納部と、該収納部に収納されている媒体を１枚ずつに分離するハードゲートを備えた媒体カセットにおいて、
前記収納部の媒体排出口の近傍に、前記ハードゲートに分離ギャップを介して対向するフィードローラと、該フィードローラの外側を覆うローラカバー部と前記分離ギャップの繰出方向の下流を覆うシャッタ部とを有する保護カバーと、前記フィードローラを回転させると共に前記保護カバーを回動可能に支持するフィードローラ軸と、媒体カセットの取外時に前記保護カバーの回動を防ぐロック機構とを設けたことを特徴とする媒体カセット。
【請求項２】
請求項１において、
前記保護カバーのシャッタ部に切欠部を形成し、該切欠部に遊嵌してシャッタ部に交差する検知部を有する繰出検知レバーを設けたことを特徴とする媒体カセット。
【請求項３】
請求項１または請求項２において、
前記保護カバーのローラカバー部の前記シャッタ部の反対側に押え部を設けると共に該押え部に段部を形成し、該段部に先端が噛合うストッパと、該ストッパを回動させるストッパ軸とを設け、
前記フィードローラ軸と前記ストッパ軸との中心間距離をＬとし、前記ストッパ軸の中心と前記ストッパの先端との距離をＭとし、前記フィードローラ軸の中心と前記段部との距離をＮとしたときに、Ｌ＜Ｍ＋Ｎとなる関係に前記フィードローラ軸と前記ストッパ軸を配置して前記ロック機構を構成したことを特徴とする媒体カセット。
【請求項４】
請求項１または請求項２において、
前記ロック機構を、非通電時に突出するソレノイドと、該ソレノイドにより駆動されるロック板とで構成したことを特徴とする媒体カセット。
【請求項５】
請求項１または請求項２において、
前記ロック機構を、前記保護カバーを反繰出回転方向にのみ回転させるワンウェイクラッチを介して前記フィードローラ軸に装着し、前記フィードローラ軸と駆動モータとを減速比の高いギア列で連結したことを特徴とする媒体カセット。
【請求項６】
媒体を収納する収納部を備えた媒体カセットにおいて、
前記収納部の下部を覆うボックスと、該ボックスに回動自在に支持され、該ボックスの上部を覆うカバーとを設け、該カバーの側面板に前記収納部に装填された媒体を整列させる整列ガイドを設けたことを特徴とする媒体カセット。
【請求項７】
請求項６において、
前記カバーの側面板に、媒体の整列状態を確認するための覗き窓を設けたことを特徴とする媒体カセット。
【請求項８】
請求項６または請求項７において、
前記カバーの側面板と前記整列ガイドとの間に、媒体を繰出方向の直交方向に押圧する方向の付勢力を有するバネ部材を配置したことを特徴とする媒体カセット。
【請求項９】
請求項６、請求項７または請求項８において、
前記収納部の側壁板にＬ字状のレールを設け、該収納部に収納された媒体を押圧する錘板と、該錘板を固定した錘アームと、該錘アームの前記レール側の端部に設けられ、前記レールを挟み込むアイドルローラとを設け、
前記錘アームに、前記錘板の開動作時に前記レールの上面に当接して前記錘板の回動を係止する突起部を設けたことを特徴とする媒体カセット。
【発明の詳細な説明】
【技術分野】
【０００１】
本発明は、媒体繰出装置等の装置本体に着脱可能に装着され、媒体を１枚ずつに分離して繰出す媒体カセットに関する。
【背景技術】
【０００２】
従来の媒体カセットは、通帳やカード、紙幣、伝票等の媒体を束にしてそのまま収納部に装填した最上位の媒体上に錘を載置して積層した媒体を錘により繰出ローラに押圧しながら１枚分の通過を許容するゲートにより１枚ずつ分離して繰出している（例えば、特許文献１参照。）。
また、シャッタを備えた媒体カセットは、金庫施錠機構のロックレバーの係合可能なＬアングルと連結ワイヤ等を介して連動するシャッタロックプレートと、シャーシに設けられたシャーシピンにより装置本体への媒体カセットの着脱にリンクプレート等を介して連動するロック解除ストッパとを備えたシャッタの開動作をロックするロック機構を設け、ロックレバーの開錠動作によりシャッタロックプレートの係合片をシャッタの凸部に係合させると共に、装置本体からの媒体カセットの取外によりシャーシピンによる押圧を解除してＬアングルのロック解除動作を規制し、媒体カセットの開口部を覆うシャッタをロックして媒体カセットの取外時の安全性を確保している（例えば、特許文献２参照。）。
【特許文献１】特開平９−２０８０７２号公報（主に第３頁段落００１０−００１３、第２図）
【特許文献２】特開２００２−２７９４８４号公報（主に第７頁段落００４１−第８頁段落００４３、第１６−１８図）
【発明の開示】
【発明が解決しようとする課題】
【０００３】
しかしながら、上述した特許文献２の技術においては、媒体カセットの開口部の近傍にさまざまな機構や部品が密集して媒体カセットの構成が複雑なものとなるため、媒体カセットが大型化すると共に重量が増加して可搬性が悪化するという問題がある。
また、特許文献１の技術においては、収納部に媒体を装填するときに束にして整列させた状態で収納することが必要であるため、保守員は十分な注意を払って媒体の装填作業を行わなければならず、保守員の負担が増大すると共に整列させずに装填した場合には繰出不良や斜行等の原因になるという問題がある。
【０００４】
更に、収納部に装填した媒体の最上位の媒体上に錘を載置して積層した媒体を繰出ローラに押圧しているため、媒体の装填時に錘の載置を忘れた場合には媒体の繰出動作に伴って繰出ローラへの押圧力が減少し、良好な繰出動作を行うことができなくなるという問題がある。
本発明は、上記の問題点を解決するためになされたもので、媒体カセットのシャッタのロック機構を簡素なものとして媒体カセットの軽量化を図る手段を提供することを目的とする。
【０００５】
また、媒体を整列させずに装填した場合においても容易に媒体を整列させることができる手段を提供することを目的とする。
更に、媒体の装填時に錘を積層された最上位の媒体に確実に載置する手段を提供することを目的とする。
【課題を解決するための手段】
【０００６】
本発明は、上記課題を解決するために、媒体を収納する収納部と、該収納部に収納されている媒体を１枚ずつに分離するハードゲートを備えた媒体カセットにおいて、前記収納部の媒体排出口の近傍に、前記ハードゲートに分離ギャップを介して対向するフィードローラと、該フィードローラの外側を覆うローラカバー部と前記分離ギャップの繰出方向の下流を覆うシャッタ部とを有する保護カバーと、前記フィードローラを回転させると共に前記保護カバーを回動可能に支持するフィードローラ軸と、取外時に前記保護カバーの回動を防ぐロック機構とを設けたことを特徴とする。
【０００７】
また、媒体を収納する収納部を備えた媒体カセットにおいて、前記収納部の下部を覆うボックスと、該ボックスに回動自在に支持され、該ボックスの上部を覆うカバーとを設け、該カバーの側面板に前記収納部に装填された媒体を整列させる整列ガイドを設けたことを特徴とする。
更に、前記収納部の側壁板にＬ字状のレールを設け、該収納部に収納された媒体を押圧する錘板と、該錘板を固定した錘アームと、該錘アームの前記レール側の端部に設けられ、前記レールを挟み込むアイドルローラとを設け、前記錘アームに、前記錘板の開動作時に前記レールの上面に当接して前記錘板の回動を係止する突起部を設けたことを特徴とする。
【発明の効果】
【０００８】
このように、本発明は、フィードローラの外側を覆うローラカバー部と分離ギャップの繰出方向の下流を覆うシャッタ部とを有する保護カバーをフィードローラ軸に回動可能に支持し、媒体カセットの取外時に保護カバーの回動を防ぐロック機構を設けたことによって、媒体カセットの開口部を覆うシャッタを媒体の繰出時に搬送経路に媒体を案内する案内板として機能させることができ、シャッタを有する媒体カセットの構成の簡素化を図ることができると共に、媒体カセットを軽量化してその可搬性を高めることができるという効果が得られる。
【０００９】
また、媒体カセットをボックスとカバーとで構成し、カバーの側面板に整列ガイドを設けたことによって、媒体を整列させずに装填した場合においても媒体の装填後にカバーを閉めるだけで容易に媒体を整列させることができるという効果が得られる。
更に、収納部の側壁板に設けたＬ字状のレールを、錘板を固定した錘アームの端部に設けた２個のアイドルローラで挟み込むと共に、錘アームに錘板の開動作時にレールの上面に当接して錘板の回動を係止する突起部を設けたことによって、カバーを閉じるだけで錘板を収納部に積層された最上位の媒体上に自動的に載置することができ、錘板を収納部に収納された媒体上に確実に載置して常に適切な押圧力を維持しながら繰出動作を良好に継続することができると共に、媒体装填時の作業性の向上を図ることができるという効果が得られる。
【発明を実施するための最良の形態】
【００１０】
以下に、図面を参照して本発明による媒体カセットの実施例について説明する。
【実施例１】
【００１１】
図１は実施例１の媒体カセットの側面を示す説明図、図２は実施例１の繰出機構の上面を示す説明図、図３は実施例１のロック機構の側面を示す説明図である。
なお、図３は図２のＢ−Ｂ断面線に沿った断面図である。
図１において、１は媒体カセットである。
２は媒体カセット１のケースであり、媒体カセット１の内部と外部を隔絶する略６面体の筐体であって、図示しない施錠機構が設けられており、媒体Ｐの装填、回収の有資格者所持する鍵により開錠可能なように構成されている。
【００１２】
３は収納部であり、通帳やカード等の比較的厚い媒体Ｐを底部に設けられた図１に矢印Ａで示す繰出方向（矢印Ａの反対方向を反繰出方向という。）に傾斜させた集積板４上に集積して収納する。
また、収納部３には集積板４上に傾斜させて集積した媒体Ｐの傾斜方向へのずれを防止して媒体Ｐを整列させる前方整列板３ａが設けられており、媒体Ｐを整列させながら媒体Ｐの下方への移動を案内する。
【００１３】
５は繰出ローラであり、収納部３の底部に設けられ、媒体Ｐの搬送が容易なようにその外周面の一部または全部にゴム等の摩擦係数の大きい摩擦部材が取付けられており、図２に示す動力伝達機構としてのギア列６（本実施例では平歯車による減速ギア列）を介して駆動モータ７により正逆回転可能に駆動され、通常は繰出回転方向（図１において時計方向）に回転して錘８および媒体Ｐの自重により押圧されている最下位の媒体Ｐを繰出方向に搬送する。
【００１４】
９はフィードローラであり、繰出ローラ５の繰出方向の下流に配置され、媒体Ｐの搬送が容易なようにその外周面の一部または全部にゴム等の摩擦係数の大きい摩擦部材が取付けられており、繰出ローラ５との間に掛け渡された駆動ベルト１０により同方向に回転するフィードローラ軸１１に取付けられて繰出ローラ５と同期して回転するように構成される。
【００１５】
１２はハードゲートであり、媒体カセット１の開口部である媒体繰出口１３の近傍に配置された支持シャフト１４に調整可能に固定されて前方整列板３ａの下方に配置されており、対向配置されたフィードローラ９との間で収納部３から繰出される媒体Ｐを１枚ずつに分離する分離ギャップＧを形成する。
１５は保護カバーであり、フィードローラ９の外側を覆う略円弧状断面のローラカバー部１６と分離ギャップＧの繰出方向下流を覆うように突出する板状のシャッタ部１７およびローラカバー部１６のシャッタ部１７の反対側に設けられた平面の台形状を有する押え部１８を有している。
【００１６】
また、保護カバー１５のローラカバー部１６のフィードローラ軸１１付近は、図３に示すようにフィードローラ軸１１を囲う略Ｃ字形状に形成されており、その爪部１９がバネ鋼等の鋼板により製作されたクリップ２０の角穴に係合してフィードローラ軸１１に遊嵌した状態で装着される。
図３において、２１は保護カバー１５の押え部１８の台形状の平面に形成された段部であり、媒体カセット１の取外時にストッパ軸２２に取付けられたストッパ２３の先端が噛合う部位である。
【００１７】
なお、本実施例の押え部１８の外側形状は、段部２１を形成する広い平面を設けるために外側に突出させた突起部を有する形状としているが、ローラカバー部１６の外側の空間に余裕がある場合にはローラカバー部１６の円弧を延長して円弧形状とし、そこに広い平面を設けるようにしてもいよい。
ストッパ軸２２は、フィードローラ９と繰出ローラ５の間に配置され、ケース２の図示しない支持部に回動可能に支持されている。
【００１８】
２４はストッパ解除レバーであり、図２に示すようにストッパ軸２２の一端に取付けられ、一方の腕２４ａの端部がストッパ軸２２に固定され、他方の腕２４ｂの端部がケース２に設けられた図３に２点鎖線で示すプッシュロッド２５に当接する略Ｌ字状の板部材である。
なお、図３に示すプッシュロッド２５の位置は、媒体カセット１が装置本体に装着されたときの位置を示している。
【００１９】
２６はスプリングであり、一端がケース２に固定され、他端がストッパ解除レバー２４の一方の腕２４ａに取付けられた引張りコイルスプリング等であって、ストッパ解除レバー２４をストッパ２３の先端が保護カバー１５の押え部１８を押圧する方向に付勢する。
なお、図３は媒体カセット１が装置本体から取外されたときの状態を示しており、プッシュロッド２５による押圧が解除され、ストッパ解除レバー２４がスプリング２６の付勢力によりストッパ軸２２を中心に回動し、ストッパ２３の先端が保護カバー１５の押え部１８の段部２１に噛合って、保護カバー１５のシャッタ部１７の先端部が支持シャフト１４に当接して停止した状態である。
【００２０】
２８は保護カバー１５のリターンスプリングであり、内径部がストッパ軸２２に遊嵌し、一端がケース２に係止され他端が保護カバー１５の押え部１８を押圧するトーションスプリングであって、常時、つまり媒体Ｐが繰出されていない時は保護カバー１５をフィードローラ軸１１を中心に反繰出回転方向に回動させてシャッタ部１７の先端部を支持シャフト１４に当接させる。
【００２１】
３０は繰出検知レバーであり、支持シャフト１４を中心に回動する略くの字形状の板部材であって、媒体繰出口１３側の端部が常時は保護カバー１５のシャッタ部１７に設けられた切欠部１７ａに遊嵌して検知部３１として機能すると共にシャッタ部１７と交差して媒体繰出口１３を塞ぐように配置される。
繰出検知レバー３０の検知部３１の反対側の端部は媒体Ｐの繰出時に媒体検知センサ３３のセンサ部３４の光軸を遮る遮蔽部３２として機能し、常時は一端がケース２に固定され他端が繰出検知レバー３０の遮蔽部３２の腕に取付けられた引張りコイルスプリング等のスプリング３５により収納部３とは反対方向に付勢されており、遮蔽部３２の腕の端部がケース２に設けられた突当部３６に当接して停止している。
【００２２】
４０は搬送ローラであり、装置本体に設けられた搬送経路４１を形成する最も媒体カセット１側の搬送ローラであって、搬送経路４１を挟んで対向する一対のローラにより媒体Ｐを挟持して搬送する。
４２は通過検知センサであり、発光部と受光部とを搬送経路４１を挟んで対向させた光学式のセンサであって、搬送ローラ４０の搬送方向下流側に配置され、発光部から光を媒体Ｐが遮断したことを受光部が検知して媒体の通過を検知する。
【００２３】
本実施例のロック機構は、上記のストッパ軸２２に取付けられたストッパ２３とフィードローラ軸１１の回動可能に支持された保護カバー１５の押え部１８に形成された段部２１により構成され、図３に示すようにフィードローラ軸１１とストッパ軸２２との中心間距離をＬとし、ストッパ軸２２の中心とストッパ２３の先端との距離をＭとし、フィードローラ軸１１の中心と段部２１との距離をＮとしたときに、Ｌ＜Ｍ＋Ｎとなる関係にストッパ軸２２を配置して媒体カセット１が装置本体から取外されたときに装着されたときに保護カバー１５の回動をロックする。
【００２４】
また、本実施例のロック機構の解除機構は、ストッパ軸２２の一端に取付けられたストッパ解除レバー２４とこれをストッパ２３の先端が保護カバー１５の押え部１８を押圧する方向に付勢するスプリング２６および装置本体に設けられたプッシュロッド２５により構成され、媒体カセット１が装置本体に装着されたときにストッパ解除レバー２４の他方の腕２４ｂがプッシュロッド２５により押されてストッパ２３による保護カバー１５のロックを解除する。
【００２５】
上記の構成の作用について説明する。
媒体Ｐを収納した媒体カセット１を装置本体に装着する場合は、媒体カセット１に設けられた駆動モータ７の電源ケーブルや媒体検知センサ３３の信号線の図示しないコネクタ部が媒体カセット１を装置本体に装着することにより装置本体と接続されると共に、装置本体に設けられたプッシュロッド２５がストッパ解除レバー２４の他方の腕２４ｂを押し上げてストッパ２３による保護カバー１５のロックを解除する。
【００２６】
このとき、媒体カセット１は図１に示す状態、つまり保護カバー１５のシャッタ部１７と繰出検知レバー３０の検知部３１がそれぞれリターンスプリング２８とスプリング３５の付勢力により交差して媒体繰出口１３を覆った状態となっている。
そして、媒体カセット１からの媒体Ｐの繰出動作が開始されると、装置本体から駆動モータ７に電力が供給され、駆動モータ７が正転してギア列６を介して繰出ローラ５を繰出回転方向に回転させる。これに伴って駆動ベルト１０で連結しているフィードローラ９が同方向に回転し、繰出ローラ５とフィードローラ９によって錘８等により押圧されている最下位の媒体Ｐが繰出方向に繰出され、分離ギャップＧにより１枚に分離された媒体Ｐの先端が媒体繰出口１３を覆っている保護カバー１５のシャッタ部１７と繰出検知レバー３０の検知部３１の交差部に当接する。
【００２７】
この時、保護カバー１５と繰出検知レバー３０は比較的弱い弾性を有するリターンスプリング２８とスプリング３５により付勢されているので、繰出ローラ５とフィードローラ９の搬送力によって図４に示すようにシャッタ部１７と検知部３１の交差部がリターンスプリング２８とスプリング３５との付勢力に抗して押し広げられ、媒体繰出口１３から媒体Ｐが繰出される。これによりシャッタ部１７が媒体Ｐの搬送経路４１への案内板として機能すると共に、繰出検知レバー３０が収納部３の方向へ回動してその遮蔽部３２が媒体検知センサ３３のセンサ部３４の光軸を遮り、その信号が装置本体の図示しない制御部に伝達されて制御部が媒体の繰出を認識する。
【００２８】
媒体繰出口１３から繰出された媒体Ｐは、押し広げられたシャッタ部１７に案内されて搬送ローラ４０へ受け渡され、一対のローラに挟持されて搬送経路４１に沿って装置本体の内部に搬送され、通過検知センサ４２が媒体Ｐを検知した後に媒体Ｐを検知しなくなったことによりその通過が装置本体の図示しない制御部に認識され、次の媒体Ｐが前記と同様にして搬送経路４１に順次に繰出される。
【００２９】
このようにして、正常な搬送が行われているときに、重送や連出し等の繰出異常が発生した場合は、図４に示すように通過検知センサ４２が媒体を検知しているにも関わらず、媒体検知センサ３３が媒体Ｐの繰出を検知している場合、つまり通過検知センサ４２と媒体検知センサ３３とが共に媒体Ｐを検知している場合に制御部が繰出異常と判定して装置本体の図示しない表示部にその旨を表示し、保守員等にその後の復旧等の措置を促す。
【００３０】
媒体カセット１の収納部３に新たな媒体Ｐを収納する等の場合には、保守員等は装置本体の図示しない扉を開放して媒体カセット１を装置本体から取外す。
このとき正常な搬送が行われていれば、リターンスプリング２８の付勢力により保護カバー１５のシャッタ部１７が支持シャフト１４に当接した状態で停止しているので、ストッパ解除レバー２４の他方の腕２４ｂを押し上げていたプッシュロッド２５による押圧が解除されると、ストッパ解除レバー２４がスプリング２６の付勢力によりストッパ軸２２を中心に回動し、ストッパ２３がその先端を保護カバー１５の押え部１８の段部２１に噛合わせた状態で停止する。
【００３１】
これにより、媒体カセット１の開口部である媒体繰出口１３がシャッタ部１７により覆われ、ロック機構を構成しているストッパ２３と保護カバー１５が取付けられたストッパ軸２２とフィードローラ軸１１の中心間距離Ｌが上記したＬ＜Ｍ＋Ｎとなる関係に設定されているので、シャッタ部１７を繰出回転方向に回動させて媒体繰出口１３を開放しようとしてもストッパ２３の先端と段部２１との噛合を外すことができず、媒体Ｐを不正に取出すことができない状態になる。
【００３２】
また、フィードローラ９が保護カバー１５のローラカバー部１６に覆われ、駆動モータ７やギア列６、繰出ローラ５、駆動ベルト１０がケース２に覆われているので、これらの部品を手等で回して媒体Ｐを取出すことは不可能である。
その後、有資格者の保守員等が図示しない施錠機構を所持する鍵で開錠し、錘８を取出して複数の媒体Ｐを集積板４上に集積した後に最上位の媒体Ｐの上に錘８を載置して施錠機構を鍵で施錠する。
【００３３】
繰出異常が発生した状態で媒体カセット１が装置本体から取出される場合は、図示しない装置本体の制御部が、扉の開放時に媒体検知センサ３３が媒体Ｐを検知していることにより繰出異常時の取出を判定し、図示しない記憶部にその履歴を記録する。
その後、保守員等により媒体カセット１が取外され、先端を突き出した状態で停止している媒体Ｐを抜取る等により通常の保守作業が行われる。
【００３４】
この場合に、第３者が不正の目的で媒体カセット１を取外したとしても、１枚の媒体Ｐを抜取った後は上記と同様にしてストッパ２３によりシャッタ部１７が媒体繰出口１３を覆った状態で自動的にロックされ、フィードローラ９や繰出ローラ５等が保護カバー１５やケース２により覆われているのでその他の媒体Ｐの取出は不可能になる。
そして、繰出異常時の媒体カセット１の取出の履歴が装置本体に記録されているので、前記の不正行為を直ちに察知することができ、この抑止力により不正行為を未然に防止することができる。
【００３５】
以上説明したように、本実施例では、フィードローラの外側を覆うローラカバー部と分離ギャップの繰出方向の下流を覆うシャッタ部とを有する保護カバーをフィードローラ軸に回動可能に支持し、媒体カセットの取外時に保護カバーの回動を防ぐロック機構を設けたことによって、媒体カセットの開口部を覆うシャッタを媒体の繰出時に搬送経路に媒体を案内する案内板として機能させることができ、シャッタを有する媒体カセットの構成の簡素化を図ることができると共に、媒体カセットを軽量化してその可搬性を高めることができる。
【００３６】
また、保護カバーのシャッタ部の切欠部に遊嵌してシャッタ部と交差する検知部を有する繰出検知レバーを設けたことによって、繰出異常時における媒体カセットの取出の履歴を記録することが可能になり、不正行為を直ちに察知することができると共に、この抑止力により不正行為を未然に防止することができる。
上記に加えて、フィードローラ軸に回動可能に支持された保護カバーのローラカバー部のシャッタ部の反対側に段部を形成した押え部を設け、この段部に先端が噛合うストッパを回動させるストッパ軸とを設け、フィードローラ軸とストッパ軸との中心間距離をＬとし、ストッパ軸の中心とストッパの先端との距離をＭとし、フィードローラ軸の中心と段部との距離をＮとしたときに、Ｌ＜Ｍ＋Ｎとなる関係にストッパ軸を配置してロック機構を構成したことによって、特別な動力によらずに媒体カセットの開口部である媒体繰出口がシャッタ部により覆われた状態でストッパにより自動的に保護カバー１５の回動を防ぐことができ、シャッタ部を繰出回転方向に回動させて媒体繰出口を開放しようとしてもストッパの先端と段部との噛合を外すことができない状態にすることができると共に、機械的な構成でロック機構を構成することができ、ロック機構の信頼性を高めることができる。
【実施例２】
【００３７】
図５は実施例２のロック機構の側面を示す説明図である。
なお、上記実施例１と同様の部分は、同一の符号を付してその説明を省略する。
図５において、５０はソレノイドであり、プランジャ５１と、プランジャ５１を外側に突出させる方向に付勢する圧縮コイルスプリング５２とにより構成され、通電時に圧縮コイルスプリング５２の付勢力に抗してプランジャ５１を吸引するソレノイドである。
【００３８】
５３はロック板であり、ソレノイド５０のプランジャ５１と連結されてソレノイド５０により駆動され、プランジャ５１の往復動に伴ってソレノイド５０の軸方向にスライドするように支持されており、図５に示すソレノイド５０の非通電時にはその先端が保護カバー１５の押え部１８の上方に位置するように構成されている。
なお、本実施例の保護カバー１５には、実施例１と同様のリターンスプリング２８が設けられており、常時はその付勢力により保護カバー１５を反繰出回転方向に回動させてシャッタ部１７を支持シャフト１４に当接させている。
【００３９】
また、保護カバー１５の押え部１８の外側形状は、実施例１のような広い平面を要しないので、ローラカバー部１６の円弧形状を伸ばした円弧形状に形成されている。
本実施例のロック機構は、上記のソレノイド５０とロック板５３により構成され、ロックの解除はソレノイド５０に通電することにより行われる。
上記の構成の作用について説明する。
【００４０】
媒体Ｐを収納した媒体カセット１を装置本体に装着した場合は、媒体カセット１に設けられた駆動モータ７やソレノイド５０の電源ケーブルや媒体検知センサ３３の信号線の図示しないコネクタ部が媒体カセット１を装置本体に装着することにより装置本体と接続される。
このとき、媒体カセット１の媒体繰出口１３は上記実施例１と同様に保護カバー１５のシャッタ部１７と繰出検知レバー３０の検知部３１とが交差して媒体繰出口１３を覆った状態となっている。
【００４１】
また、ソレノイド５０は非通電となっており、図５に示すように圧縮コイルスプリング５２の付勢力によりプランジャ５１が突出し、ロック板５３の先端が保護カバー１５の押え部１８上に位置、つまり保護カバー１５の繰出回転方向への回動を防ぐ位置に位置している。
そして、媒体カセット１からの媒体Ｐの繰出動作が開始されると、装置本体からソレノイド５０と駆動モータ７に電力が供給され、ソレノイド５０が通電状態となってプランジャ５１を吸引し、ロック板５３の先端を保護カバー１５の押え部１８上から退避させると共に、駆動モータ７が正転し、上記実施例１と同様にして繰出ローラ５とフィードローラ９により最下位の媒体Ｐが繰出方向に繰出され、分離ギャップＧにより１枚に分離された媒体Ｐが図６に示すようにシャッタ部１７と検知部３１の交差部を押し広げて媒体繰出口１３から繰出される。
【００４２】
その後の正常搬送および繰出異常の場合の作動は、上記実施例１と同様であるのでその説明を省略する。
なお、正常搬送の場合の一連の繰出動作の終了時および繰出異常の場合の繰出異常の検出時には、装置本体の図示しない制御部はソレノイド５０を非通電として待機する。
媒体カセット１の収納部３に新たな媒体Ｐを収納する等の場合には、保守員等は装置本体の図示しない扉を開放して媒体カセット１を装置本体から取外す。
【００４３】
このとき正常な搬送が行われていれば、リターンスプリング２８の付勢力により保護カバー１５のシャッタ部１７が支持シャフト１４に当接した状態で停止し、ソレノイド５０が非通電となってロック板５３の先端を保護カバー１５の押え部１８上に位置させて停止しているので、媒体カセット１の開口部である媒体繰出口１３がシャッタ部１７により覆われた状態でロックされ、シャッタ部１７を繰出回転方向に回動させて媒体繰出口１３を開放しようとしてもロック板５３の先端を押え部１８上から外すことができず、媒体Ｐを不正に取出すことができない状態になる。
【００４４】
また、上記実施例１と同様にフィードローラ９や繰出ローラ５、ギア列６等が、ローラカバー部１６やケース２に覆われているので、これらの部品を手等で回して媒体Ｐを取出すことは不可能である。
その後の有資格者による媒体Ｐの集積の作動は、実施例１と同様であるのでその説明を省略する。
【００４５】
繰出異常が発生した状態で媒体カセット１が装置本体から取出される場合は、実施例１と同様に図示しない装置本体の制御部が、繰出異常時の取出の履歴を記録し、保守員等による通常の保守作業が行われる。
この場合に、第３者が不正の目的で媒体カセット１を取外したとしても、１枚の媒体Ｐを抜取った後は、ソレノイド５０が非通電とされてロック板５３の先端が当接している保護カバー１５の押え部１８の外側形状がローラカバー部１６と同じ円弧形状で形成されているので、リターンスプリング２８の付勢力により保護カバー１５が繰出回転方向に回動し、ロック板５３の先端が押え部１８上に位置してシャッタ部１７が媒体繰出口１３を覆った状態で自動的にロックされ、フィードローラ９や繰出ローラ５等が保護カバー１５やケース２により覆われているのでその他の媒体Ｐの取出は不可能になる。
【００４６】
そして、繰出異常時の媒体カセット１の取出の履歴が装置本体に記録されているので、前記の不正行為を直ちに察知することができ、この抑止力により不正行為を未然に防止することができる。
以上説明したように、本実施例では、上記実施例１と同様の効果に加えて、非通電時にプランジャが突出するソレノイドとこれにより駆動されるロック板とによりロック機構を構成したことによって、特別な動力によらずに媒体カセットの開口部である媒体繰出口がシャッタ部により覆われた状態でロック板により自動的に保護カバーの回動を防ぐことができ、シャッタ部を繰出回転方向に回動させて媒体繰出口を開放しようとしてもロック板の先端を押え部上から外すことができない状態にすることができると共に、機械的な構成でロック機構を構成することができ、ロック機構の信頼性を高めることができる。
【００４７】
なお、本実施例にでは、ロック板をソレノイドスライドさせるとして説明したが、モータとラック機構により構成しても同様の効果をえることができる。
また、本実施例および上記実施例１の繰出異常時において、制御部は繰出異常と判定したときに保守員等にその後の復旧等の措置を促すとして説明したが、制御部が繰出異常と判定したときに繰出ローラおよびフォードローラを媒体検知センサが媒体を検知しなくなるまで逆転させて媒体を収納部に戻すようにしてもよい。これにより媒体カセットの自動復旧が可能になる。
【実施例３】
【００４８】
図７は実施例３のロック機構の側面を示す説明図、図８は実施例３の繰出機構の上面を示す説明図である。
なお、上記実施例１と同様の部分は、同一の符号を付してその説明を省略する。
図７、図８において、６０は駆動モータであり、実施例１の駆動モータ５に比較して高速で正逆可能に回転するモータである。
【００４９】
６１は駆動モータ６０の回転軸に取付けられたウォームであり、ウォームギア６２と噛合って高い減速比で繰出ローラ５に駆動モータ６０の動力を伝達する。
本実施例のギア列６は、上記のウォーム６１とウォームギア６２を含んで構成された減速比の高いギア列である。
６３はワンウェイクラッチであり、保護カバー１５の一方の端部に設けられたハブ部６５ａにその外周面を固定してフィードローラ軸１１と保護カバー１５の間に装着されており、保護カバー１５をフィードローラ軸１１に対して反繰出回転方向（図７において反時計方向）にのみ回転可能に支持する。
【００５０】
従って、本実施例の保護カバー１５は、フィードローラ軸１１が停止しているときはリターンスプリング２８により反繰出回転方向に回動してシャッタ部１７が支持シャフト１４に当接し、その状態でシャッタ部１７により保護カバー１５を繰出回転方向に回動させるとフィードローラ軸１１と一体になって回動する。
また、フィードローラ軸１１が繰出回転方向に回転している繰出動作時においては、媒体Ｐがシャッタ部１７に当接する半径位置がフィードローラ９の半径より大きいためにワンウェイクラッチのフィードローラ軸１１の外周面との接触部では、ワンウェイクラッチの内径部の周速度がフィードローラ軸１１の外周面の周速度より遅くなり、保護カバー１５がフィードローラ軸１１に対して相対的に反繰出方向に回転するので、絶対系から見たときに保護カバー１５の繰出方向への回動が可能になる。
【００５１】
保護カバー１５の他方の端部に設けられたハブ部６５ｂには、フィードローラ軸１１が遊嵌する貫通孔６６が設けられており、フィードローラ軸１１の回転により保護カバー１５が連れ回ることを防止している。
本実施例のロック機構は、上記のワンウェイクラッチ６３と、ウォーム６１とウォームギア６２を含んで高い減速比を有するギア列６と、駆動モータ６０とから構成される。
【００５２】
なお、本実施例ではロック機構の解除機構は不要である。
上記の構成の作用について説明する。
媒体Ｐを収納した媒体カセット１を装置本体に装着する場合は、媒体カセット１に設けられた駆動モータ６０の電源ケーブルや媒体検知センサ３３の信号線の図示しないコネクタ部が媒体カセット１を装置本体に装着することにより装置本体と接続される。
【００５３】
そして、媒体カセット１からの媒体Ｐの繰出動作が開始されると、装置本体から駆動モータ６０に電力が供給され、駆動モータ６０が高速で正転して高い減速比のギア列６を介して繰出ローラ５を繰出回転方向に回転させる。これに伴って駆動ベルト１０で連結しているフィードローラ軸１１とフィードローラ９が同方向に回転し、上記実施例１と同様にして繰出ローラ５とフィードローラ９により最下位の媒体Ｐが繰出方向に繰出され、分離ギャップＧにより１枚に分離された媒体Ｐの先端がシャッタ部１７と繰出検知レバー３０の検知部３１の交差部に当接する。
【００５４】
この時、フィードローラ軸１１が繰出回転方向に回転しているので、ワンウェイクラッチ６３を介してフィードローラ軸１１に装着されている保護カバー１５は繰出回転方向に回動可能となり、比較的弱い弾性を有するリターンスプリング２８とスプリング３５により付勢されている保護カバー１５のシャッタ部１７と繰出検知レバー３０の検知部３１の交差部が、繰出ローラ５とフィードローラ９の搬送力によってリターンスプリング２８とスプリング３５との付勢力に抗して押し広げられ、上記実施例１と同様にして媒体Ｐが搬送経路４１にそって搬送され、通過検知センサ４２によりその通過が装置本体の図示しない制御部に認識され、次の媒体Ｐが順次に繰出される。
【００５５】
繰出異常の場合の作動は、上記実施例１と同様であるのでその説明を省略する。
媒体カセット１の収納部３に新たな媒体Ｐを収納する等の場合には、保守員等は装置本体の図示しない扉を開放して媒体カセット１を装置本体から取外す。
このとき正常な搬送が行われていれば、リターンスプリング２８の付勢力により保護カバー１５のシャッタ部１７が支持シャフト１４に当接した状態で停止して媒体カセット１の開口部である媒体繰出口１３がシャッタ部１７により覆われている。
【００５６】
そして、シャッタ部１７を繰出回転方向に回動させて媒体繰出口１３を開放しようとすると、フィードローラ軸１１が停止しているので、保護カバー１５はワンウェイクラッチ６３を介してフィードローラ軸１１と一体になって繰出回転方向に回動しようとする。
このとき、フィードローラ軸１１は駆動ベルト１０を介してウォーム６１とウォームギア６２を含んで高い減速比、つまりフィードローラ軸１１側から見れば高い増速比を有するギア列６と駆動モータ６０とに連結しており、ウォームギア６２側からウォーム６１を回転させることは困難であるので、駆動モータ６０の摩擦トルクに打ち勝って保護カバー１５を回動させることが非常に困難となり、保護カバー１５がロックされた状態となって媒体Ｐを不正に取出すことができない状態になる。
【００５７】
また、上記実施例１と同様にフィードローラ９や繰出ローラ５、ギア列６等が、ローラカバー部１６やケース２に覆われているので、これらの部品を手等で回して媒体Ｐを取出すことは不可能である。
その後の有資格者による媒体Ｐの集積の作動は、実施例１と同様であるのでその説明を省略する。
【００５８】
繰出異常が発生した状態で媒体カセット１が装置本体から取出される場合は、実施例１と同様に図示しない装置本体の制御部が、繰出異常時の取出の履歴を記録し、保守員等による通常の保守作業が行われる。
この場合に、第３者が不正の目的で媒体カセット１を取外したとしても、１枚の媒体Ｐを抜取った後は保護カバー１５がリターンスプリング２８の付勢力により反繰出回転方向に回動してシャッタ部１７が媒体繰出口１３を覆った状態となり、上記と同様に保護カバー１５が自動的にロック状態となるのでその他の媒体Ｐの取出は不可能になる。
【００５９】
そして、繰出異常時の媒体カセット１の取出の履歴が装置本体に記録されているので、前記の不正行為を直ちに察知することができ、この抑止力により不正行為を未然に防止することができる。
以上説明したように、本実施例では、上記実施例１と同様の効果に加えて、フィードローラ軸に保護カバーを反繰出回転方向にのみ回転させるワンウェイクラッチを介して装着し、フィードローラ軸と駆動モータとを減速比の高いギア列で連結したロック機構を設けたことによって、特別な動力によらずに媒体カセットの開口部である媒体繰出口がシャッタ部により覆われた状態で自動的にロック状態とすることができ、シャッタ部を繰出回転方向に回動させて媒体繰出口を開放しようとしても保護カバーの回動を非常に困難な状態にすることができ、ロック板の先端を押え部上から外すことができない状態にすることができると共に、特別なリンク機構等を設けなくても機械的な構成でロック機構を構成することができ、ロック機構の信頼性を高めることができる。
【００６０】
なお、本実施例では、ロック機構の高い減速比を有するギア列をウォームとウォームギアにより構成するとして説明したが、平歯車等により高い減速比のギア列を構成しても同様である。
また、本実施例に実施例１および実施例２で説明した通常の駆動モータと平歯車によるギア列を用いる場合には、ギア列に繰出方向のみに回転を許容するラチェット機構を設けるとよい。これによっても本実施例と同様のロック機構とすることができ、同様の効果を得ることができる。
【実施例４】
【００６１】
図９は実施例４の媒体カセットの側面を示す説明図、図１０は実施例４の媒体カセットの正面を示す説明図、図１１は実施例４の媒体カセットを示す斜視図である。なお図１０は図９のＣ方向から見た説明図である。
図９、図１０、図１１において、１０１は媒体カセットである。
１０２は媒体カセット１０１のボックスであり、媒体カセット１０１の下部を覆う６面体であって、図１０に示すように上面側が開放され、その正面板１０２ａおよび裏面板１０２ｂには上方から下方に向う略対角線に沿って斜めに切欠かれた斜面１０３ａが形成されている。
【００６２】
１０４はカバーであり、媒体カセット１０１のボックス１０２の上部を覆う６面体であって、下面側が開放され、その正面板１０４ａおよび裏面板１０４ｂにはボックス１０２の正面板１０２ａおよび裏面板１０２ｂの斜面１０３ａに沿うように切欠かれた斜面１０３ｂが形成されており、図１０に示すようにボックス１０２の正面板１０２ａおよび裏面板１０２ｂの上方の斜面１０３ａの開始部の片隅に設けられた回転支点軸１０５を中心に回動する。
【００６３】
上記のボックス１０２およびカバー１０４により媒体カセット１０１の内部と外部を隔絶する略６面体の筐体が形成され、回転支点軸１０５によりボックス１０２に回動自在に支持されたカバー１０４とボックス１０２との間には、カバー１０４を施錠する図示しない施錠機構が設けられており、媒体Ｐの装填、回収の有資格者が所持する鍵により開錠可能なように構成されている。
【００６４】
１０６は収納部としてのスタッカであり、通帳やカード等の比較的厚い媒体Ｐを底部に設けられた図９に矢印Ａで示す繰出方向（矢印Ａの反対方向を反繰出方向という。）に傾斜させた集積板１０６ａ上に集積して収納する。
また、スタッカ１０６には集積板１０６ａ上に傾斜させて集積した媒体Ｐの傾斜方向へのずれを防止して媒体Ｐを整列させる前方整列板１０８ａが設けられており、媒体Ｐを整列させながら媒体Ｐの下方への移動を案内する。
【００６５】
本実施例のスタッカ１０６は繰出方向に２個並置されており、繰出方向前方のスタッカ１０６の裏面壁板が、後方のスタッカ１０６の前方整列板１０８ｂとして機能する。なおスタッカ１０６の個数は１個であってもよく、３個以上であってもよい。
１０９は繰出ローラであり、それぞれのスタッカ１０６の底部に設けられ、媒体Ｐの搬送が容易なようにその外周面の一部または全部にゴム等の摩擦係数の大きい摩擦部材が取付けられており、図示しない動力伝達機構を介して図示しない駆動モータにより正逆回転可能に駆動され、通常は繰出回転方向（図９において時計方向）に回転して媒体Ｐの自重により押圧されている最下位の媒体Ｐを繰出方向に搬送する。
【００６６】
１１０はフィードローラであり、媒体Ｐの搬送が容易なようにその外周面の一部または全部にゴム等の摩擦係数の大きい摩擦部材が取付けられてそれぞれの繰出ローラ１０９の繰出方向の下流に配置されており、繰出ローラ１０９との間に掛け渡された図示しない駆動ベルトにより繰出ローラ１０９と同方向に同期して回転するように構成される。
１１１はハードゲートであり、媒体カセット１０１の開口部である媒体繰出口１１２の前方整列板１０８ａ、１０８ｂの下方にフィードローラ１１０と対向して配置され、フィードローラ１１０との間でスタッカ１０６から繰出される媒体Ｐを１枚ずつに分離する分離ギャップＧを形成する。
【００６７】
１１３はガイド板であり、フィードローラ１１０の繰出方向下流に配置された繰出方向に傾斜した板部材であって、分離ギャップＧにより１枚ずつに分離されて搬送される媒体Ｐを図示しない本体装置の搬送路へ案内する。
図１０において、１１４はカバー１０４の上面板１０４ｃに設けられた仕切板であり、前方のスタッカ１０６の裏面壁板である前方整列板１０８ｂに設けられたボックス１０２の正面板１０２ａの斜面１０３ａ等と同様に設けられた斜面１０３ｃに沿うように形成された斜面１０３ｄを有する台形形状の板部材であって、前方整列板１０８ｂと同列に配置されている。
【００６８】
１２０は整列ガイドであり、カバー１０４の側面板１０４ｄの内側にスタッカ１０６毎に設けられた比較的厚い直方体状の柱状部材であって、スタッカ１０６の繰出方向の略中央部に配置されており、対向するスタッカ１０６の一方の側壁板１０６ｂとの間の距離を収納する媒体Ｐの搬送方向と直行する方向の幅と略同等として配置される。
整列ガイド１２０の長手方向の長さは、対向するスタッカ１０６の一方の側壁板１０６ｂと略同等の長さに形成され、その下端部は他方の側壁板１０６ｃに設けられた切欠部１２１に遊嵌している。
【００６９】
図１１において、１２２は覗き窓であり、カバー１０４の側面板１０４ｂに長穴として形成された貫通孔であって、整列ガイド１２０の側方に配置され、カセット１０６に収納された媒体Ｐの整列状態の確認に用いられる。
上記の構成の作用について説明する。
媒体カセット１０１に媒体Ｐを補充するために媒体Ｐを装填する場合は、有資格者の保守員等が図示しない施錠機構を所持する鍵で開錠してカバー１０４を回転支点軸１０５を中心に回動させ、カバー１０４を開けて複数の媒体Ｐを集積板１０６ａ上に装填した後にカバー１０４を閉じて施錠機構を鍵で施錠する。
【００７０】
このとき、媒体Ｐの積層が乱れている場合は、図１２に示すようにカバー１０４を回転支点軸１０５を中心に矢印Ｄ方向に回動させ、その閉動作の過程で整列ガイド１２０が乱れた状態で積層されている媒体Ｐの側方を押して媒体Ｐを矢印Ｅ方向に移動させ、カバー１０４を閉じて施錠した時には、対向するスタッカ１０６の一方の側壁板１０６ｂとの間の距離を媒体Ｐの搬送方向と直行する方向の幅と略同等として配置されている整列ガイド１２０により正しく整列された状態で収納される。
【００７１】
また、カバー１０４の上面板１０４ｃに設けられた仕切板１１４が閉動作の過程で２個のスタッカ１０６の集積されている媒体Ｐの間に割り込んで媒体Ｐの面に沿った回転方向のずれを整列させる。
このような媒体Ｐの整列状態は、覗き窓１２２により容易に確認することができる。
以上説明したように、本実施例では、媒体カセットをボックスとカバーで構成し、カバーの側面板に整列ガイドを設けたことによって、媒体を整列させずに装填した場合においても媒体の装填後にカバーを閉めるだけで容易に媒体を整列させることができる。
【００７２】
また、カバーの側面板に覗き窓を設けたことによって、カバーを閉めた後の媒体の整列状態および残量を容易に確認することができる。
【実施例５】
【００７３】
図１３は実施例５の媒体カセットの正面を示す説明図である。
なお、上記実施例４と同様の部分は同一の符号を付してその説明を省略する。
図１３において、１２５は圧縮コイルスプリング等のバネ部材であり、カバー１０４の側面板１０４ｄと整列ガイド１２０との間に配置され、整列ガイド１２０をスタッカ１０６の一方の側壁板１０６ｂの側へ移動させる方向、つまり媒体Ｐを繰出方向の直交方向に押圧する方向の付勢力を発揮する。
【００７４】
その他の構成は、上記実施例４と同様である。
上記の構成の作用について説明する。
媒体カセット１０１に媒体Ｐを装填する場合は、有資格者の保守員等は上記実施例４と同様にしてカバー１０４を開けて複数の媒体Ｐを装填した後にカバー１０４を閉じて施錠機構を鍵で施錠する。
【００７５】
このとき、媒体Ｐの積層が乱れている場合は、図上記実施例４と同様にカバー１０４の閉動作の過程で整列ガイド１２０が乱れた状態で積層されている媒体Ｐの側方を押して媒体Ｐを移動させ、カバー１０４を閉じて施錠した時には、対向配置された整列ガイド１２０とスタッカ１０６の一方の側壁板１０６ｂとの間に媒体Ｐがカバー１０４の側面板１０４ｄと整列ガイド１２０の間に配置されたバネ部材１２５により押圧され、繰出方向と直行する方向の幅が任意に設定された複数種類の媒体Ｐを取扱う場合においても、その媒体Ｐが正しく整列された状態で収納される。
【００７６】
以上説明したように、本実施例では、上記実施例４と同様の効果に加えて、カバーの側面板と整列ガイドの間に媒体を繰出方向の直交方向に押圧するバネ部材を設けたことによって、繰出方向と直行する方向の幅が任意に設定された媒体を整列させずに装填した場合においても媒体の装填後にカバーを閉めるだけで容易に媒体を整列させることができる。このことは、繰出方向と直行する方向の幅が任意に設定された複数種類の媒体を取扱う媒体カセットに特に有効である。
【実施例６】
【００７７】
図１４は実施例６のスタッカの正面を示す説明図、図１５は実施例６のスタッカの上面を示す説明図、図１６は実施例６の錘アームの取付部を示す拡大図である。
なお、上記実施例４と同様の部分は同一の符号を付してその説明を省略する。
図１４、図１５において、１３０は錘板であり、集積板１０６ａ上に集積された媒体Ｐを押圧する錘部材であって、集積板１０６ａ上に集積された最上位の媒体Ｐの上に載置される。
【００７８】
１３１はレールであり、スタッカ１０６の正面側に設けられたＬ字状の板部材であって、側壁板１０６ｂの正面側をＬ字状に残して掘り込んで、またはＬ字状のレール１３１を溶接等により接合して形成される。またレール１３１には切欠部１３２が設けられており、錘板１３０を固定した錘アーム１３３が挿入される。
錘アーム１３３のレール１３１側の端部には、図１６に示すように上下方向に所定の間隔Ｈを隔ててレール１３１の側板１３１ａを挟み込むアイドルローラ１３４、１３５がそれぞれの支持軸１３４ａ、１３５ａに回転自在に支持されて設けられており、錘板１３０を固定した錘アーム１３３を昇降自在に支持している。また錘アーム１３３の上部には突起部１３６が設けられており、媒体Ｐの装填時にレール１３１の上面１３１ｂに当接して錘板１３０の回動を係止する。
【００７９】
その他の構成は、上記実施例４と同様である。
上記の構成の作用について説明する。
媒体カセット１０１に媒体Ｐを装填する場合は、有資格者の保守員等は上記実施例４と同様にしてカバー１０４を開け、錘アーム１３３により錘板１３０を持上げて図１７に示す矢印Ｆ方向に回動させて錘アーム１３３の突起部１３６をレール１３１の上面１３１ｂに当接させて係止した後に、複数の媒体Ｐをスタッカ１０６の集積板１０６ａ上に装填する。
【００８０】
保守員等がカバー１０４を閉じると、カバー１０４の上面板１０４ｃが錘アーム１３３に当接し、錘アーム１３３の突起部１３６の係止を解除して錘板１３０を矢印Ｆとは反対方向に回動させ、錘板１３０を装填された最上位の媒体Ｐの上に自動的に載置して積層された媒体Ｐを繰出ローラ１０９に押圧する。これにより錘板１３０を降ろし忘れることが防止される。
【００８１】
その後の施錠の作動および媒体Ｐの整列の作動は、上記実施例４と同様であるのでその説明を省略する。
このようにして収納された媒体Ｐの繰出動作が開始されると、繰出ローラ１０９、フィードローラ１１０が繰出回転方向に回転し、最下位の媒体Ｐが分離ギャップＧにより１枚ずつに分離されて順次に図示しない本体装置の搬送路に繰出されていく。
【００８２】
このとき、スタッカ１０６内に積層された媒体Ｐの枚数の減少に伴って、錘板１３０がその自重によりアイドルローラ１３４、１３５が挟み込んでいるレール１３１に案内されながら積層された媒体Ｐの高さに追従して降下し、媒体Ｐと繰出ローラ１０９との押圧力を常に適切に維持して繰出動作を良好に継続させる。
以上説明したように、本実施例では、スタッカの側壁板に設けた錘板の昇降を案内するＬ字状のレールの側板を、錘板を固定した錘アームの端部に設けた２個のアイドルローラで挟み込むと共に、錘アームに錘板の開動作時にレールの上面に当接して錘板の回動を係止する突起部を設けたことによって、カバーを閉じるだけで錘板をスタッカに積層された最上位の媒体上に自動的に載置することができ、錘板を最上位の媒体に確実に載置して常に適切な押圧力を維持しながら繰出動作を良好に継続することができると共に、媒体装填時の作業性の向上を図ることができる。
【図面の簡単な説明】
【００８３】
【図１】実施例１の媒体カセットの側面を示す説明図
【図２】実施例１の繰出機構の上面を示す説明図
【図３】実施例１のロック機構の側面を示す説明図
【図４】実施例１の媒体の繰出異常状態を示す説明図
【図５】実施例２のロック機構の側面を示す説明図
【図６】実施例２の媒体の繰出状態を示す説明図
【図７】実施例３のロック機構の側面を示す説明図
【図８】実施例３の繰出機構の上面を示す説明図
【図９】実施例４の媒体カセットの側面を示す説明図
【図１０】実施例４の媒体カセットの正面を示す説明図
【図１１】実施例４の媒体カセットを示す斜視図
【図１２】実施例４のカバーの閉動作を示す説明図
【図１３】実施例５の媒体カセットの正面を示す説明図
【図１４】実施例６のスタッカの正面を示す説明図
【図１５】実施例６のスタッカの上面を示す説明図
【図１６】実施例６の錘アームの取付部を示す拡大図
【図１７】実施例６の錘板の開動作を示す説明図
【符号の説明】
【００８４】
１、１０１  媒体カセット
２    ケース
３    収納部
３ａ、１０８ａ、１０８ｂ  前方整列板
４、１０６ａ  集積板
５、１０９  繰出ローラ
６    ギア列
７、６０  駆動モータ
８    錘
９、１１０  フィードローラ
１０  駆動ベルト
１１  フィードローラ軸
１２、１１１  ハードゲート
１３、１１２  媒体繰出口
１４  支持シャフト
１５  保護カバー
１６  ローラカバー部
１７  シャッタ部
１７ａ  切欠部
１８  押え部
１９  爪部
２０  クリップ
２１  段部
２２  ストッパ軸
２３  ストッパ
２４  ストッパ解除レバー
２４ａ、２４ｂ  腕
２５  プッシュロッド
２６、３５  スプリング
２８  リターンスプリング
３０  繰出検知レバー
３１  検知部
３２  遮蔽部
３３  媒体検知センサ
３４  センサ部
３６  突当部
４０  搬送ローラ
４１  搬送経路
４２  通過検知センサ
５０  ソレノイド
５１  プランジャ
５２  圧縮コイルスプリング
５３  ロック板
６１  ウォーム
６２  ウォームギア
６３  ワンウェイクラッチ
６５ａ、６５ｂ  ハブ部
６６  貫通孔
１０２  ボックス
１０２ａ、１０４ａ  正面板
１０２ｂ、１０４ｂ  裏面板
１０３ａ、１０３ｂ、１０３ｃ、１０３ｄ  斜面
１０４  カバー
１０４ｃ  上面板
１０４ｄ  側面板
１０５  回転支点軸
１０６  スタッカ
１０６ｂ、１０６ｃ  側壁板
１１３  ガイド板
１１４  仕切板
１２０  整列ガイド
１２１  切欠部
１２２  覗き窓
１２５  バネ部材
１３０  錘板
１３１  レール
１３１ａ  側板
１３１ｂ  上面
１３２  切欠部
１３３  錘アーム
１３４、１３５  アイドルローラ
１３４ａ、１３５ａ  支持軸
１３６  突起部
【図１】
2006082946.tif 000003
【図２】
2006082946.tif 000004
【図３】
2006082946.tif 000005
【図４】
2006082946.tif 000006
【図５】
2006082946.tif 000007
【図６】
2006082946.tif 000008
【図７】
2006082946.tif 000009
【図８】
2006082946.tif 000010
【図９】
2006082946.tif 000011
【図１０】
2006082946.tif 000012
【図１１】
2006082946.tif 000013
【図１２】
2006082946.tif 000014
【図１３】
2006082946.tif 000015
【図１４】
2006082946.tif 000016
【図１５】
2006082946.tif 000017
【図１６】
2006082946.tif 000018
【図１７】
2006082946.tif 000019